(57)【要約】【課題】周辺の自然環境と調和する外観を有しているとともに、生活排水などを地下を通して排水できるようにした水路用ブロックを提供することを課題とする。【解決手段】木片チップ１３とセメント１４の混合物から構成されたブロック本体１１の表面に、上面が略平坦に加工された複数の栗石１２，１２，・・・を互いの平坦面が略面一になるように固着して水路用ブロック１０を形成する。【選択図】    図１
2005016130.tif 000002
【特許請求の範囲】
【請求項１】
水路を形成する水路用ブロックであって、
透水性材によって構成されたブロック本体を備え、
上記ブロック本体の表面には、複数の石材が固着されていることを特徴とする水路用ブロック。
【請求項２】
請求項１に記載された水路用ブロックにおいて、
上記複数の石材は、上記ブロック本体の表面に不規則に配設されており、該複数の石材の各々の上面が略平坦に加工され、互いの平坦面が略面一になるように形成されていることを特徴とする水路用ブロック。
【請求項３】
請求項１又は２に記載された水路用ブロックにおいて、
上記ブロック本体は、木片チップ及びセメントの混合物からなることを特徴とする水路用ブロック。
【請求項４】
請求項１乃至３のうちいずれか１項に記載された水路用ブロックであって、
上記ブロック本体の側壁面には、流れ方向に相隣るブロック同士を凹凸嵌合によって接続するための嵌合凹部と嵌合凸部とが形成されていることを特徴とする水路用ブロック。
【請求項５】
多数の水路用ブロックを縦横に並べて形成された水路構造であって、
上記水路用ブロックは、透水性材によって構成されたブロック本体と、該ブロック本体の表面に固着された複数の石材とから形成され、
水路の流れ方向に相隣る上記水路用ブロック同士は、凹凸嵌合によって接続されていることを特徴とする水路構造。
【発明の詳細な説明】
【０００１】
【発明の属する技術分野】
本発明は、水路用ブロック及び水路構造に関する。
【０００２】
【従来の技術】
従来より、流水による河川や水路の法面及び河床の浸食を防止するために、河川や水路の法面及び河床にコンクリートを打設し、又はコンクリート製のブロックを敷設して保護するようにしたものが知られている（特許文献１参照）。
【０００３】
【特許文献１】
特開昭６２−５０５０６号公報
【０００４】
【発明が解決しようとする課題】
しかし、上述のようなコンクリートなどの人工構造物からなるブロックを河川や水路に敷設した場合、周辺の自然環境との間で違和感を生じて景観が損なわれるという問題があり、自然環境に調和するようなものが求められていた。
【０００５】
また、都市部の河川や水路では、生活排水などの汚水が該河川や水路を流れるため、景観が損なわれるという問題があった。
【０００６】
すなわち、本発明は、周辺の自然環境と調和する外観を有しているとともに、生活排水などを地下を通して排水できるようにした水路用ブロック及び水路構造を提供することを課題とする。
【０００７】
【課題を解決するための手段】
本発明は、上記課題に対して、透水性材によって構成されたブロック本体の表面に複数の石材が固着された水路用ブロックを用いて水路を形成するようにした。
【０００８】
すなわち、請求項１に係る発明は、水路を形成する水路用ブロックであって、
透水性材によって構成されたブロック本体を備え、
上記ブロック本体の表面には、複数の石材が固着されていることを特徴とする。
【０００９】
従って、本発明によれば、水路用ブロックが、透水性材によって構成されたブロック本体を備え、その表面には複数の石材が固着されているから、該水路用ブロックを河川や水路に設置したときに、表面の石材が周辺の自然環境と調和するため景観を損なうことがない。また、該水路用ブロックを都市部の河川や水路に適用した場合、生活排水などの汚水が該ブロック本体を通して排水されて該水路用ブロックの表面には流出してこないため景観を損なうことがない。さらに、水路用ブロックの表面にコケやボーフラが発生することを防止でき衛生的であるとともに、水路用ブロック表面の清掃作業も容易に行うことができる。
【００１０】
また、水路用ブロックの表面を形成する石材は低コストで得られるため、該水路用ブロックの製造コストを抑える上で有利となる。さらに、石材を設置現場で採石して使用することで、地域ごとに特色のある景観の水路用ブロックを製作することができ、景観性が向上する。
【００１１】
請求項２に係る発明は、請求項１に記載された水路用ブロックにおいて、
上記複数の石材は、上記ブロック本体の表面に不規則に配設されており、該複数の石材の各々の上面が略平坦に加工され、互いの平坦面が略面一になるように形成されていることを特徴とする。
【００１２】
従って、本発明によれば、複数の石材が、ブロック本体の表面に不規則に配設されており、該複数の石材の各々の上面が略平坦に加工され、互いの平坦面が略面一になるように形成されているから、水路用ブロックの表面の模様を変化に富んだものにすることができ、景観性が向上する。
【００１３】
また、水路用ブロックの表面が略平坦に形成されているため、歩行者が該水路用ブロックの上を歩行する際に非常に歩きやすいという利点がある。また、複数の石材を不規則に並べることで隣り合う石材の間に隙間ができるため、該隙間から草木がブロック本体に根を張ることができ自然環境の保護、育成に有利となる。
【００１４】
請求項３に係る発明は、請求項１又は２に記載された水路用ブロックにおいて、
上記ブロック本体は、木片チップ及びセメントの混合物からなることを特徴とする。
【００１５】
従って、本発明によれば、ブロック本体は、木片チップ及びセメントの混合物から構成されているから、該セメントが木片チップ間の隙間を確保して該ブロック本体の透水性を確保できるとともに、木片チップを保護して該ブロック本体の形状を安定維持させることができる。また、該木片チップ間の隙間を生活排水などの汚水が通過する際に、該木片チップ間の隙間が濾過フィルターの役割を果たして汚水が濾過されるため、汚水を浄化する上で有利となる。さらに、透水性が良好なため、ブロック本体を通して水分を地中に還元させることができ、自然環境の保護、育成に有利となる。また、木片チップやセメントは低コストで得られるため、水路用ブロックの製造コストを抑える上で有利になるとともに、廃材の再利用にもなる。
【００１６】
請求項４に係る発明は、請求項１乃至３のうちいずれか１項に記載された水路用ブロックであって、
上記ブロック本体の側壁面には、流れ方向に相隣るブロック同士を凹凸嵌合によって接続するための嵌合凹部と嵌合凸部とが形成されていることを特徴とする。
【００１７】
従って、本発明によれば、ブロック本体の側壁面には、流れ方向に相隣るブロック同士を凹凸嵌合によって接続するための嵌合凹部と嵌合凸部とが形成されているから、該ブロック同士を接続する作業を容易に行うことができ、現場での作業性が向上する。
【００１８】
請求項５に係る発明は、多数の水路用ブロックを縦横に並べて形成された水路構造であって、
上記水路用ブロックは、透水性材によって構成されたブロック本体と、該ブロック本体の表面に固着された複数の石材とから形成され、
水路の流れ方向に相隣る上記水路用ブロック同士は、凹凸嵌合によって接続されていることを特徴とする。
【００１９】
従って、本発明によれば、上記水路用ブロックを用いて水路を形成したから、該水路用ブロックを河川や水路に設置したときに、表面の石材が周辺の自然環境と調和するため景観を損なうことがない。また、該水路用ブロックを都市部の河川や水路に適用した場合、生活排水などの汚水が該ブロック本体を通して排水されて該水路用ブロックの表面には流出してこないため景観を損なうことがない。
【００２０】
【発明の実施の形態】
以下、本発明の実施の形態を図面に基づいて説明する。
【００２１】
＜実施形態＞
図１は、本発明の実施形態に係る水路用ブロック１０を示す。該水路用ブロック１０は、透水性を有するブロック本体１１と、該ブロック本体１１の表面に固着された複数の栗石（石材）１２，１２，・・・とから形成されている。
【００２２】
ブロック本体１１は、木片チップ１３とセメント１４の混合物から構成され、ブロック本体１１内に侵入した水が流れ方向に排水されるように木片チップ１３間に隙間が設けられており、透水性が確保されている。
【００２３】
なお、上記ブロック本体１１の構成物は、木片チップ１３とセメント１４の混合物に限定するものではなく、水を流れ方向に排水できる隙間が設けられて透水性が確保されているものであれば、例えば砕石とアスファルトの混合物などであっても構わない。
【００２４】
また、図２に示すように、ブロック本体１１の側壁面のうち、図で右側及び上側の側壁面には、嵌合凹部１５，１５が形成されている。そして、該嵌合凹部１５，１５の形成されている側壁面の各々に相対向する残りの側壁面（図で左側及び下側）には、嵌合凸部１６，１６が形成されている。
【００２５】
なお、上記ブロック本体１０の嵌合凹部１５及び嵌合凸部１６は、例えば、一方の相対向する側壁面の各々に嵌合凹部を設け、他方の相対向する側壁面の各々に嵌合凸部１６を設けたものや、側壁面全部に嵌合凹部１５又は嵌合凸部１６を設けたものであっても構わない。
【００２６】
また、ブロック本体１１には、水路用ブロック１０を補強するための鉄筋１７，１７が互いに交差した状態で埋設されている。そして、鉄筋１７，１７の各々の両端部はブロック本体１１の側壁面まで延びており、その先端にはナット１７ａ，１７ａが取り付けられている。ナット１７ａ，１７ａには、水路用ブロック１０をクレーン（不図示）に係合させて吊り下げるためのフック１７ｂ，１７ｂが締結されている。
【００２７】
図３又は図４に示すように、栗石１２は、その上面が略平坦に加工されている。そして、該栗石１２の下端には、先端が略Ｌ字状に折れ曲がったアンカー１８が固着されている。そして、複数の栗石１２，１２，・・・の平坦面が互いに略面一となって水路用ブロック１０の表面を形成するように、該複数の栗石１２，１２，・・・の下部及びアンカー１８，１８，・・・がブロック本体１１に埋設されている。
【００２８】
上記水路用ブロック１０は、ブロック成型用の型枠（不図示）内に上記複数の栗石１２，１２，・・・の平坦面を下にして不規則に並べて敷き詰め、該複数の栗石１２，１２，・・・の上端にアンカー１８を固着し、該型枠の上方から木片チップ１３、セメント１４及び水からなる混合物を落下投入し、乾燥させて固化させた後、該型枠から該水路用ブロック１０を取り外して製造することができる。
【００２９】
次に、水路用ブロック１０を用いた水路構造の構築手順について以下に説明する。
【００３０】
図５に示すように、複数の水路用ブロック１０，１０，・・・を、フック１７ｂ（図２参照）にクレーン（不図示）を係合させて吊り下げ、水路２０の河床に敷設してフック１７ｂを取り外す。次に、相隣る水路用ブロック１０の嵌合凹部１５と嵌合凸部１６とを凹凸嵌合して接続する。そして、水路２０の法面２１，２１に、多数の砕石２２，２２，・・・を用いた裏込め材を敷き詰めてブロック設置面２２ａを形成するとともに、法面２１，２１の上面と略面一な平坦面２２ｂを形成する。そして、ブロック設置面２２ａに複数の水路用ブロック１０，１０，・・・を設置し、相隣るブロック同士を凹凸嵌合して接続する。このとき、水路２０の所定間隔おきに相隣る水路用ブロック１０，１０の間に隙間をもたせておき、該隙間に水たまりが形成されるようにして、植物や小動物の育成など自然環境に配慮した水路用ブロック１０の配置にしてもよい。
【００３１】
そして、水路２０の河床に敷設した水路用ブロック１０，１０と、法面２１，２１に設置した水路用ブロック１０，１０との隙間に、該水路２０の河床に敷設した水路用ブロック１０，１０の上面と略面一になるようにコンクリート２３，２３を打設する。
【００３２】
そして、法面２１，２１に設置した水路用ブロック１０，１０の上側端面と、多数の砕石２２，２２，・・・を用いた裏込め材の上記ブロック設置面２２ａとがなす段部２４，２４に、法面２１，２１の上面と略面一になるようにコンクリート２３，２３を打設する。
【００３３】
なお、上記水路２０の河床に敷設した水路用ブロック１０と、法面２１に設置した水路用ブロック１０との隙間には、コンクリート２３の代わりに木片チップ１３とセメント１４との混合物を打設しても構わない。また、法面２１に多数の砕石２２，２２，・・・を用いた裏込め材を敷き詰めてから水路用ブロック１０を設置するようにしたが、水路用ブロック１０を直接法面２１に設置しても該法面２１の地盤沈下が起こらないような強固な地盤であれば、多数の砕石２２，２２，・・・の敷き詰め作業を行わなくても構わない。
【００３４】
以上の構築手順により、法面２１及び河床に複数の水路用ブロック１０を設置してなる水路構造が完成する。
【００３５】
【発明の効果】
請求項１に係る発明によれば、水路用ブロックが、透水性材によって構成されたブロック本体を備え、その表面には複数の石材が固着されているから、該水路用ブロックを河川や水路に設置したときに、表面の石材が周辺の自然環境と調和するため景観を損なうことがない。また、該水路用ブロックを都市部の河川や水路に適用した場合、生活排水などの汚水が該ブロック本体を通して排水されて該水路用ブロックの表面には流出してこないため景観を損なうことがない。さらに、水路用ブロックの表面にコケやボーフラが発生することを防止でき衛生的であるとともに、水路用ブロック表面の清掃作業も容易に行うことができる。
【００３６】
また、水路用ブロックの表面を形成する石材は低コストで得られるため、該水路用ブロックの製造コストを抑える上で有利となる。さらに、石材を設置現場で採石して使用することで、地域ごとに特色のある景観の水路用ブロックを製作することができ、景観性が向上する。
【００３７】
請求項２に係る発明によれば、請求項１に記載された水路用ブロックであって、複数の石材がブロック本体の表面に不規則に配設されており、該複数の石材の各々の上面が略平坦に加工され、互いの平坦面が略面一になるように形成されているから、水路用ブロックの表面の模様を変化に富んだものにすることができ、景観性が向上する。
【００３８】
また、水路用ブロックの表面が略平坦に形成されているため、歩行者が該水路用ブロックの上を歩行する際に非常に歩きやすいという利点がある。また、複数の石材を不規則に並べることで隣り合う石材の間に隙間ができるため、該隙間から草木がブロック本体に根を張ることができ自然環境の保護、育成に有利となる。
【００３９】
請求項３に係る発明によれば、請求項１又は２に記載された水路用ブロックであって、ブロック本体は、木片チップ及びセメントの混合物から構成されているから、該セメントが木片チップ間の隙間を確保して該ブロック本体の透水性を確保できるとともに、木片チップを保護して該ブロック本体の形状を安定維持させることができる。また、該木片チップ間の隙間を生活排水などの汚水が通過する際に、該木片チップ間の隙間が濾過フィルターの役割を果たして汚水が濾過されるため、汚水を浄化する上で有利となる。さらに、透水性が良好なため、ブロック本体を通して水分を地中に還元させることができ、自然環境の保護、育成に有利となる。また、木片チップやセメントは低コストで得られるため、水路用ブロックの製造コストを抑える上で有利になるとともに、廃材の再利用にもなる。
【００４０】
請求項４に係る発明によれば、請求項１乃至３のうちいずれか１項に記載された水路用ブロックであって、ブロック本体の側壁面には、流れ方向に相隣るブロック同士を凹凸嵌合によって接続するための嵌合凹部と嵌合凸部とが形成されているから、該ブロック同士を接続する作業を容易に行うことができ、現場での作業性が向上する。
【００４１】
請求項５に係る発明によれば、請求項１乃至３のうちいずれか１項に記載された水路用ブロックを用いて水路を形成したから、該水路用ブロックを河川や水路に設置したときに、表面の石材が周辺の自然環境と調和するため景観を損なうことがない。また、該水路用ブロックを都市部の河川や水路に適用した場合、生活排水などの汚水が該ブロック本体を通して排水されて該水路用ブロックの表面には流出してこないため景観を損なうことがない。
【図面の簡単な説明】
【図１】本実施形態に係る水路用ブロックを示す斜視図。
【図２】本実施形態に係る水路用ブロックを示す平面図。
【図３】本実施形態に係る水路用ブロックを示す側面図。
【図４】本実施形態に係る栗石を示す斜視図。
【図５】本実施形態に係る水路構造を示す断面図。
【符号の説明】
１０    水路用ブロック
１１    ブロック本体
１２    栗石
１３    木片チップ
１４    セメント
１５    嵌合凹部
１６    嵌合凸部
１７    鉄筋
１７ａ  ナット
１７ｂ  フック
１８    アンカー
２０    水路
２１    法面
２２    砕石
２２ａ  ブロック設置面
２２ｂ  平坦面
２３    コンクリート
２４    段部
【図１】
2005016130.tif 000003
【図２】
2005016130.tif 000004
【図３】
2005016130.tif 000005
【図４】
2005016130.tif 000006
【図５】
2005016130.tif 000007